(57)【要約】【課題】本発明は、本体ユニットおよび表示ユニットを視覚的に小さく見せることができる電子機器を得ることにある。【解決手段】電子機器は、上面(8)、前面(9)および左右の側面(10a,10b)を有する本体ユニット(2)と、表示画面(18a)を有する前面(20)およびこの前面の周囲に位置する側面(22a,22b)、上面(23)および下面(24)を有する表示ユニット(3)とを備えている。表示ユニットは、前面が本体ユニットの上面と向かい合うように本体ユニットの上に横たわる第１の位置と、前面がオペレータの方向を向くように本体ユニットに対し起立する第２の位置との間で回動可能である。本体ユニットの前面および側面は、上面の方向に進むに従い本体ユニットの内側に向けて傾斜する第１の傾斜面(15)を含んでいる。表示ユニットの側面、上面および下面は、前面の方向に進むに従い表示ユニットの内側に向けて傾斜する第２の傾斜面(28)を含んでいる。【選択図】      図１
2005100042.tif 000002
【特許請求の範囲】
【請求項１】
上面、前面および左右の側面を有する本体ユニットと、
表示画面を有する前面およびこの前面の周囲に位置する複数の周面とを有し、上記前面が上記本体ユニットの上面と向かい合うように上記本体ユニットの上に横たわる第１の位置と、上記前面がオペレータの方向を向くように上記本体ユニットに対し起立する第２の位置との間で回動可能な表示ユニットと、を具備し、
上記本体ユニットの前面および側面は、上面の方向に進むに従い上記本体ユニットの内側に向けて傾斜する第１の傾斜面を含むとともに、上記表示ユニットの周面は、前面の方向に進むに従い上記表示ユニットの内側に向けて傾斜する第２の傾斜面を含むことを特徴とする電子機器。
【請求項２】
請求項１の記載において、上記表示ユニットの前面は、第１ないし第４の縁部を有する四角形であり、これら第１ないし第４の縁部で囲まれる領域に上記表示画面を露出させる四角い開口部が形成されているとともに、上記表示ユニットの周面は、上記第１ないし第４の縁部に連なることを特徴とする電子機器。
【請求項３】
請求項１の記載において、上記表示ユニットの第２の傾斜面は、上記表示ユニットを上記第２の位置に回動させた時に上記本体ユニットの第１の傾斜面と向かい合い、これら第１および第２の傾斜面は、互いに協働して上記本体ユニットおよび上記表示ユニットの周囲に開放する凹部を形成することを特徴とする電子機器。
【請求項４】
請求項３の記載において、上記凹部は、上記本体ユニットおよび上記表示ユニットの周囲に向けて拡開するような断面形状を有することを特徴とする電子機器。
【請求項５】
請求項１ないし請求項４のいずれかの記載において、上記本体ユニットの第１の傾斜面は、上記本体ユニットの周方向に連続するとともに、上記表示ユニットの第２の傾斜面は、上記表示ユニットの周方向に連続することを特徴とする電子機器。
【請求項６】
請求項１の記載において、上記表示ユニットの第２の傾斜面は複数の窪みを有し、これら窪みは、表示ユニットを取り囲むように互いに間隔を存して並んでいることを特徴とする電子機器。
【請求項７】
上面、前面および左右の側面を有する本体ユニットと、
表示画面を有する前面およびこの前面の周囲に位置する複数の周面とを有し、上記前面が上記本体ユニットの上面と向かい合うように上記本体ユニットの上に横たわる第１の位置と、上記前面がオペレータの方向を向くように上記本体ユニットに対し起立する第２の位置との間で回動可能な表示ユニットと、を具備し、
上記表示ユニットの周面は、上記前面の方向に進むに従い上記表示ユニットの内側に向けて傾斜する傾斜面を含み、この傾斜面は、上記表示ユニットが上記第１の位置に回動された時に、上記本体ユニットの前面および側面よりも上記本体ユニットの周囲に突出することを特徴とする電子機器。
【請求項８】
複数の縁部を有する上面と、この上面の縁部から下向きに張り出す複数の周面とを有する筐体と、
上記筐体の上面に配置され、情報を入力する入力装置と、を具備し、
上記筐体の周面は、上記上面の縁部から下方に進むに従い上記筐体の外側に張り出すように傾斜する傾斜面を含むことを特徴とする電子機器。
【請求項９】
請求項８の記載において、上記筐体の上面は、上記入力装置を操作する時に手を載せるパームレストを有し、このパームレストの手元側に位置する縁部に上記複数の周壁のうちの一つが連続することを特徴とする電子機器。
【請求項１０】
情報を入力する入力装置が配置された上面、前面、左右の側面および後面を有する筐体を備え、上記筐体の少なくとも前面および側面は、夫々上面の方向に進むに従い筐体の内側を向くように傾斜する傾斜面を含むとともに、これら傾斜面は上記筐体の周方向に連続することを特徴とする電子機器。
【請求項１１】
表示画面を取り囲む複数の縁部を有する前面と、この前面の縁部に連なる複数の周面とを有する筐体を備え、上記筐体の周面は、上記前面の縁部から遠ざかるに従い上記筐体の外側に向けて張り出すように傾斜する傾斜面を含むことを特徴とする電子機器。
【請求項１２】
表示画面を有する前面、左右の側面、上面および下面を有する筐体を備え、上記筐体の少なくとも側面および上面は、上記前面の方向に進むに従い筐体の内側を向くように傾斜する傾斜面を含むとともに、これら傾斜面は上記筐体の周方向に連続することを特徴とする電子機器。
【請求項１３】
上面、前面および左右の側面を有する第１の筐体と、
表示画面を有する前面およびこの前面の周囲に位置する複数の周面とを有する第２の筐体と、
上記第１の筐体と上記第２の筐体とを連結するとともに、複数の周面を有する第３の筐体と、を具備し、
上記第１の筐体の前面および側面は、上面の方向に進むに従い上記第１の筐体の内側に向けて傾斜する第１の傾斜面を含むとともに、上記第２の筐体の周面は、前面の方向に進むに従い上記第２の筐体の内側に向けて傾斜する第２の傾斜面を含み、さらに上記第３の筐体の周面は、上記第２の筐体の方向に進むに従い上記第３の筐体の内側に向けて傾斜する第３の傾斜面を含むことを特徴とする電子機器。
【請求項１４】
請求項１３の記載において、上記第２の筐体は、上記前面が上記第１の筐体の上面と向かい合うように上記第１の筐体の上に横たわる第１の位置と、上記前面がオペレータの方向を向くように上記第１のユニットに対し起立する第２の位置との間で回動可能であり、上記第３の筐体は、上記第２の筐体が第１の位置に回動された時に第２の筐体の上に横たわるとともに、上記第２の筐体が第２の位置に回動された時に上記第２の筐体の背後で起立することを特徴とする電子機器。
【請求項１５】
請求項１４の記載において、上記第３の筐体は、一端が第１のヒンジ軸を介して上記第１の筐体に回動可能に連結されているとともに、他端が第２のヒンジ軸を介して上記第２の筐体に回動可能に連結されていることを特徴とする電子機器。
【請求項１６】
請求項１４の記載において、上記第２の筐体の第２の傾斜面は、上記第２の筐体を上記第１の位置に回動させた時に上記第１の筐体の第１の傾斜面と向かい合い、これら第１および第２の傾斜面は、互いに協働して上記第１および第２の筐体の周囲に開放する凹部を形成するとともに、上記凹部は上記第１および第２の筐体の周囲に向けて拡開するような断面形状を有することを特徴とする電子機器。
【請求項１７】
請求項１３の記載において、上記第１の筐体の第１の傾斜面は、上記第１の筐体の周方向に連続するとともに、上記第２の筐体の第２の傾斜面は、上記第２の筐体の周方向に連続することを特徴とする電子機器。
【発明の詳細な説明】
【技術分野】
【０００１】
本発明は、例えばノート形のポータブルコンピュータのような電子機器に係り、特にキーボードを有する本体ユニットあるいは表示画面を有する表示ユニットを視覚的に小さく見せるための構造に関する。
【背景技術】
【０００２】
最近の高機能なポータブルコンピュータは、CD-ROMドライブとDVD-ROMドライブを一体化したマルチドライブやＴＶチューナを搭載している。これにより、一台のポータブルコンピュータで音楽CDに格納された音楽やDVDに格納された動画像を再生できるとともに、ＴＶ番組を見たり録画することができるようになっている。
【０００３】
この種のポータブルコンピュータは、表示品質や画像の視認性を高めるための大型の液晶表示パネルや高音質なステレオスピーカシステムを塔載している。このため、マルチドライブやステレオスピーカシステムを収容する本体ユニットの外形寸法および液晶表示パネルを収容する表示ユニットの外形寸法が一般的なポータブルコンピュータよりも大きくなる傾向にある。この結果、ポータブルコンピュータが異様に大きく感じ、外観的な面で違和感を伴うことがあり得る。
【０００４】
この対策として、従来、液晶表示パネルの表示画面がオペレータと向かい合うように表示ユニットを起立させた時に、この表示ユニットの上端に位置する上縁部を斜めにカットしたポータブルコンピュータが知られている（例えば、特許文献１参照）。
【０００５】
また、その他の例として本体ユニットの上面と前面で規定される角部を斜めにカットしたポータブルコンピュータが知られている（例えば、特許文献２参照）。
【特許文献１】米国特許第５，９５９，８３３号明細書
【特許文献２】米国意匠登録第３６８，４６８号
【発明の開示】
【発明が解決しようとする課題】
【０００６】
上記特許文献１に開示された構成によると、表示ユニットを起立させた時に、その上縁部がオペレータに向けて下向きに傾斜する。このため、表示ユニットが起立している限り、目の錯覚で表示画面が位置する表示ユニットの前面が小さくなったように見える。
【０００７】
しかしながら、上記特許文献１では、表示ユニットが四角い箱状をなすにも拘わらず、その一辺となる上縁部のみを斜めにカットしているに止まり、表示ユニットの左右の縁部は、依然として前面に対し直角な面のままとなっている。
【０００８】
このことから、表示ユニットを起立させた時に、表示ユニットの前面が幅広く見えてしまうことがあり、表示ユニットの前面を視覚的に小さく見せる効果が不十分となるといった問題がある。
【０００９】
同様に、上記特許文献２に開示された構成においても、本体ユニットの上面と前面とで規定される一つの角部が斜めにカットされているに止まり、上面と左右の側面とで規定される角部は直角のままとなっている。
【００１０】
したがって、表示ユニットを起立させて本体ユニットを見下ろした時に、本体ユニットの上面の幅寸法が強調されてしまい、本体ユニットの上面を視覚的に小さく見せる効果が不十分なものとなる。
【００１１】
本発明は、このような事情にもとづいてなされたもので、視覚的に小さく見せることができる電子機器の提供を目的とする。
【課題を解決するための手段】
【００１２】
上記目的を達成するため、本発明の一つの形態に係る電子機器は、  
上面、前面および左右の側面を有する本体ユニットと、  
表示画面を有する前面およびこの前面の周囲に位置する複数の周面とを有し、上記前面が上記本体ユニットの上面と向かい合うように上記本体ユニットの上に横たわる第１の位置と、上記前面がオペレータの方向を向くように上記本体ユニットに対し起立する第２の位置との間で回動可能な表示ユニットとを備えている。  
本発明の一つの形態によると、上記本体ユニットの前面および側面は、上面の方向に進むに従い上記本体ユニットの内側に向けて傾斜する第１の傾斜面を含み、上記表示ユニットの周面は、前面の方向に進むに従い上記表示ユニットの内側に向けて傾斜する第２の傾斜面を含むことを特徴としている。
【発明の効果】
【００１３】
本発明によれば、本体ユニットの上面が三方向から絞り込まれるので、この上面を視覚的に小さく見せることができる。同様に表示ユニットにしても、その表示画面を有する前面が複数の方向から絞り込まれるので、この前面を視覚的に小さく見せつつ表示画面を相対的に大きく見せることができる。
【発明を実施するための最良の形態】
【００１４】
以下本発明の第１の実施の形態を、図１ないし図７に基づいて説明する。
【００１５】
図１ないし図４は、電子機器としてのＡ４サイズのポータブルコンピュータ１を開示している。ポータブルコンピュータ１は、本体ユニット２、表示ユニット３および支持部材４を備えている。
【００１６】
本体ユニット２は、偏平な箱形の第１の筐体５を有している。第１の筐体５は、下部筐体６と、この下部筐体６を上から覆う上部筐体７とで構成されている。上部筐体７は、上面８、前面９、左右の側面１０ａ，１０ｂおよび後面１１を備えている。
【００１７】
上部筐体７の上面８は、第１ないし第４の縁部１２ａ，１２ｂ，１２ｃ，１２ｄを有する長方形状をなしている。第１および第４の縁部１２ａ，１２ｄは、夫々上部筐体７の前端および後端に位置するとともに、上部筐体７の幅方向に沿って互いに平行に延びている。第２および第３の縁部１２ｂ，１２ｃは、夫々上部筐体７の左端および右端に位置するとともに、上部筐体７の奥行き方向に沿って互いに平行に延びている。
【００１８】
上部筐体７の上面８は、情報を入力する入力装置としてのキーボード１３を支持している。キーボード１３は、第２ないし第４の縁部１２ｂ〜１２ｄによって囲まれる領域に位置している。さらに、上面８の前半部は、オペレータがキーボード１３を操作する際に手を載せるパームレスト１４となっている。パームレスト１４は、キーボード１３の手元側に位置しており、このパームレスト１４の前端に第１の縁部１２ａが位置している。
【００１９】
上部筐体７の前面９は、上面８の第１の縁部１２ａから下向きに延びている。上部筐体７の左右の側面１０ａ，１０ｂは、上面８の第２および第３の縁部１２ｂ，１２ｃから下向きに延びている。上部筐体７の後面１１は、上面８の第４の縁部１２ｄから下向きに延びている。
【００２０】
それとともに、上部筐体７の前面９、側面１０ａ，１０ｂおよび後面１１は、夫々上面８の方向に進むに従い上部筐体７の内側に向けて傾斜する第１の傾斜面１５となっている。言い換えると、第１の傾斜面１５は、上面８の第１ないし第４の縁部１２ａ〜１２ｄから下方に進むに従い上部筐体７の外側に張り出すように傾斜しているとともに、上部筐体７の周方向に互いに連続している。このため、図５に示すように、上部筐体７の外周部は、上面８に向けて四方向から絞り込まれた形状となっている。
【００２１】
第１の筐体５は、例えばCD-ROMドライブとDVD-ROMドライブを一体化したマルチドライブ１６、CPUを搭載したプリント配線板およびその他の各種の電子部品（図示せず）を搭載している。マルチドライブ１６や電子部品は、下部筐体６に支持されている。
【００２２】
図１、図２および図４に示すように、第１の筐体５の後端部に取り付け座１７が形成されている。取り付け座１７は、第１の筐体５の幅方向に沿う中央部に位置するとともに、その先端が上部筐体７の上面８よりも上方に張り出している。
【００２３】
表示ユニット３は、本体ユニット２から独立した一つの構成要素となっている。表示ユニット３は、液晶表示パネル１８と、この液晶表示パネル１８を収容する第２の筐体１９とを備えている。液晶表示パネル１８は、画像を表示する四角い表示画面１８ａを有している。第２の筐体１９は、前面２０、背面２１および複数の周面としての左右の側面２２ａ，２２ｂ、上面２３、下面２４を有する偏平な箱状をなしている。
【００２４】
第２の筐体１９は、上記第１の筐体５と略同じ大きさに形成されている。第２の筐体１９の前面２０は、第１ないし第４の縁部２６ａ，２６ｂ，２６ｃ，２６ｄを有する長方形状をなしている。第１および第４の縁部２６ａ，２６ｄは、第２の筐体１９の前端および後端に位置するとともに、この第２の筐体１９の幅方向に沿って互いに平行に延びている。第２および第３の縁部２６ｂ，２６ｃは、第２の筐体１９の左端および右端に位置するとともに、この第２の筐体１９の高さ方向（奥行き方向）に沿って互いに平行に延びている。
【００２５】
さらに、第２の筐体１９の前面２０は、上記表示画面１８ａを露出させる四角い開口部２７を有している。開口部２７は、第１ないし第４の縁部２６ａ〜２６ｄによって取り囲まれている。このため、第２の筐体１９の前面２０は、四角い枠状をなしている。
【００２６】
第２の筐体１９の側面２２ａ，２２ｂは、前面２０の第２および第３の縁部２６ｂ，２６ｃから背面２１に向けて延びている。第２の筐体１９の上面２３は、前面２０の第１の縁部２６ａから背面２１に向けて延びている。第２の筐体１９の下面２４は、前面２０の第４の縁部２６ｄから背面２１に向けて延びている。
【００２７】
それとともに、第２の筐体１９の側面２２ａ，２２ｂ、上面２３および下面２４は、夫々背面２１から前面２０の方向に進むに従い第２の筐体１９の内側に向けて傾斜する第２の傾斜面２８となっている。言い換えると、第２の傾斜面２８は、前面２０の第１ないし第４の縁部２６ａ〜２６ｄから背面２１の方向に進むに従い第２の筐体１９の外側に向けて張り出すように傾斜するとともに、第２の筐体１９の周方向に連続している。このため、図６に示すように、第２の筐体１９の外周部は、前面２０に向けて四方向から絞り込まれた形状となっている。
【００２８】
図２、図４および図７に示すように、上記支持部材４は、本体ユニット２と表示ユニット３との間に跨っている。支持部材４は、第３の筐体３１を有している。第３の筐体３１は、前面３２、背面３３および複数の周面としての左右の側面３４ａ，３４ｂおよび先端面３５を有し、上記第２の筐体１９よりも小さな偏平な箱状をなしている。
【００２９】
第３の筐体３１は、その一端に取り付け座１７に向けて突出する脚部３７を有している。脚部３７は、第１のヒンジ軸３８を介して取り付け座１７に回動可能に連結されている。第１のヒンジ軸３８は、本体ユニット２の幅方向に沿って水平に配置されている。さらに、第３の筐体３１は、脚部３７とは反対側の他端が第２のヒンジ軸３９を介して表示ユニット３の第２の筐体１９の背面２１に回動可能に連結されている。第２のヒンジ軸３９は、第３の筐体３１の先端面３５の付近に位置するとともに、表示ユニット３の幅方向に沿って水平に配置されている。
【００３０】
このことから、表示ユニット３は、支持部材４を介して本体ユニット２に連結され、この本体ユニット２に対し第１の位置と第２の位置との間で回動可能となっている。図３および図４は、表示ユニット３が第１の位置に回動された状態を示し、図１および図２は、表示ユニット３が第２の位置に回動された状態を示している。
【００３１】
第１の位置では、表示ユニット３が本体ユニット２の上に横たわっており、表示ユニット３の前面９がキーボード１３やパームレスト１４と向かい合っている。表示ユニット３が第１の位置に回動された状態では、支持部材４は第２の筐体１９の上に横たわっている。これにより、第３の筐体３１の前面３２から突出するフック４０が第２の筐体１９の背面２１に取り外し可能に引っ掛かり、第２の筐体１９と第３の筐体３１との相対的な回動を制限している。
【００３２】
第２の位置では、表示ユニット３はキーボード１３、パームレスト１４および表示画面１８ａを露出させるように本体ユニット２の後端部から起立している。表示ユニット３が第２の位置に回動された状態では、その表示画面１８ａがオペレータの方向を向いている。
【００３３】
表示ユニット３が第２の位置に回動された状態では、この表示ユニット３の背後で支持部材４が起立しているとともに、表示ユニット３が第２のヒンジ軸３９を支点に単独で回動可能となっている。このため、図７に示すように表示ユニット３の起立角度を自由に変えることができる。
【００３４】
図２ないし図４に示すように、第３の筐体３１の側面３４ａ，３４ｂおよび先端面３５は、背面３３から前面３２の方向に進むに従い第３の筐体３１の内側に向けて傾斜する第３の傾斜面４１となっている。この第３の傾斜面３１は、第３の筐体３１の周方向に連続している。
【００３５】
図３および図４に示すように、表示ユニット３を第１の位置に回動させた状態では、第２の筐体１９の第２の傾斜面２８が第１の筐体５の第１の傾斜面１５と向かい合っている。これら第１および第２の傾斜面１５，２８は、互いに協働して凹部４２を形成している。この凹部４２は、ポータブルコンピュータ１の前方、側方および後方に連続して開放している。それとともに、凹部４２は、ポータブルコンピュータ１の前方、側方および後方に向けて拡開するような断面形状を有し、この凹部４２に手の指先Fを挿入し得るようになっている。
【００３６】
同様に、表示ユニット３が第１の位置に回動された状態では、第３の筐体３１の第３の傾斜面４１が第２の筐体１９の背面２１と向かい合っている。この第３の傾斜面４１は、第２の筐体１９の背面２１との間に凹部４３を形成しており、この凹部４３は手の指先を挿入し得るように第３の筐体３１の周囲に開放している。
【００３７】
このような構成のポータブルコンピュータ１において、表示ユニット３を第２の位置に回動させると、表示画面１８ａを有する第２の筐体１９の前面２０がオペレータの方向を向くとともに、キーボード１３やパームレスト１４を有する第１の筐体５の上面８が露出する。
【００３８】
この際、第１の筐体５の上半分を構成する上部筐体７の前面９、側面１０ａ，１０ｂおよび後面１１は、夫々上面８の方向に進むに従い上部筐体７の内側に向けて傾斜する傾斜面１５となっている。このため、上部筐体７の外周部が上面８に向けて四方向から絞り込まれた形状となり、この上面８を視覚的に小さく見せることができる。
【００３９】
同様に、第２の筐体１９の側面２２ａ，２２ｂ、上面２３および下面２４は、夫々前面２０の方向に進むに従い第２の筐体１９の内側に向けて傾斜する傾斜面２８となっている。このため、第２の筐体１９の外周部が前面２０に向けて四方向から絞り込まれた形状となり、この前面２０を視覚的に小さく見せることができる。
【００４０】
それとともに、傾斜面２８の存在により、前面２０の第１ないし第４の縁部２６ａ〜２６ｄが開口部２７の開口周縁に近づく。このため、枠状の前面２０が視覚的に幅狭いものとなり、目の錯覚を利用して液晶表示パネル１８の表示画面１８ａを大きく見せることができる。
【００４１】
したがって、本体ユニット２の上面８および表示ユニット３の前面２０をどの方向から見た場合でも、本体ユニット２および表示ユニット３を小さく見せることが可能となり、ポータブルコンピュータ１が異様に大きく見えるといった従来の違和感を解消することができる。
【００４２】
さらに、上記構成によると、表示ユニット３が第１の位置に回動された状態では、第１の筐体５の第１の傾斜面１５と第２の筐体１９の第２の傾斜面２８との間にポータブルコンピュータ１の周囲に開放する凹部４２が形成されている。このため、凹部４２に手の指先Fを引っ掛けて第２の筐体１９を持ち上げれば、第２の筐体１９が第１のヒンジ軸３８を支点に上向きに回動し、表示ユニット３が起立する。
【００４３】
しかも、凹部４２はポータブルコンピュータ１の外周の全周に亘っているので、第２の筐体１９の上面２３および左右の側面２２ａ，２２ｂのいずれの方向からでも凹部４２に手の指先Fを引っ掛けることができる。したがって、表示ユニット３を第１の位置から第２の位置に向けて回動させる際の操作を容易に行なうことができ、表示ユニット３を任意な角度に速やかに起立させることができる。
【００４４】
加えて、上記構成では、表示ユニット３が第１の位置に回動されている限り、第３の筐体３１の傾斜面４１と第２の筐体１９の背面２１との間にもポータブルコンピュータ１の周囲に開放する凹部４３が形成されている。このことから、凹部４３に手の指先Fを引っ掛けて第３の筐体３１を持ち上げると、第３の筐体３１が第１のヒンジ軸３８を支点に上向きに回動する。
【００４５】
この時、第３の筐体３１は、フック４０を介して第２の筐体１９に連結されているので、この第２の筐体１９が第３の筐体３１に追従して第２の位置に向けて回動し、表示ユニット３が起立する。よって、第３の筐体３１に指先Fを引っ掛けて、表示ユニット３を第１の位置から第２の位置に向けて容易に回動させることができ、操作性が向上する。
【００４６】
また、上記第１の実施の形態にあっては、図７に示すように第１の筐体５のパームレスト１４と前面９とで規定される角度αが鈍角となり、パームレスト１４から前面９にかけての繋がりが滑らかとなる。言い換えると、パームレスト１４の前端と前面９との境界部分から直角に尖る角を排除することができる。このため、パームレスト１４に手を置いてキーボード１３を操作する際に尖った角が手に接することはなく、手が痛くなることはないといった利点がある。
【００４７】
なお、本発明は上記第１の実施の形態に特定されるものではなく、図８ないし図１０に本発明の第２の実施の形態を示す。
【００４８】
この第２の実施の形態では、表示ユニット３の第２の筐体１９の上面２３および側面２２ａ，２２ｂに複数の窪み５１が形成されている。窪み５１は、手の指先Fの形状に合致するような円弧状の断面形状を有するとともに、第２の傾斜面２８に開口している。窪み５１は、第２の筐体１９の周方向に間隔を存して並んでおり、上記表示ユニット３を第２の位置に回動させた状態において、表示画面１８ａの上側から左右両側にかけての範囲を取り囲むように配置されている。
【００４９】
このような構成によれば、表示ユニット３を第１の位置から第２位置に回動させる時に、手の指先Fが窪み５１に入り込む。このため、傾斜面２８が手の指先Fに馴染む形となって指先Fの滑りを防止でき、表示ユニット３に手の指先Fを引っ掛け易くなる。よって、表示ユニット３を第１の位置から第２の位置に向けて回動させる際の操作性がより向上する。
【００５０】
図１１および図１２は本発明の第３の実施の形態を開示している。
【００５１】
この第３の実施の形態では、第１の筐体５の前面９、側面１０ａ，１０ｂおよび後面１１が上面８に対し垂直に起立している。また、第２の筐体１９の側面２２ａ，２２ｂ、上面２３および下面２４、言い換えると第２の筐体１９の第２の傾斜面２８は、表示ユニット３が第１の位置に回動されている時に、第１の筐体５の前面９、側面１０ａ，１０ｂおよび後面１１よりも表示ユニット３の周囲に張り出している。
【００５２】
このような構成においても、表示ユニット３を第１の位置から第２位置に回動させる時に、第２の傾斜面２８に手の指先Fを引っ掛けることができる。しかも、第２の傾斜面２８はポータブルコンピュータ１の外周の全周に亘っているので、第２の筐体１９の上面２３および左右の側面２２ａ，２２ｂのいずれの方向からでも傾斜面２８に指先Fを引っ掛けることができる。したがって、表示ユニット３を第１の位置から第２の位置に向けて回動させる際の操作を容易に行なうことができ、表示ユニット３を任意な角度に速やかに起立させることができる。
【００５３】
上記各実施の形態では、表示ユニットを支持部材を介して本体ユニットに回動可能に連結しているが、本発明はこれに制約されない。例えば表示ユニットの一端を本体ユニットの後端部にヒンジを介して回動可能に連結してもよい。
【００５４】
また、第１の傾斜面は、必ずしも第１の筐体の全周に亘って設ける必要はなく、少なくとも第１の筐体の前面および左右の側面に設ければよい。同様に第２の傾斜面にしても、必ずしも第２の筐体の全周に亘って設ける必要はなく、少なくとも第２の筐体の上面および左右の側面に設ければよい。
【００５５】
さらに、本発明に係る電子機器は、本体ユニットと表示ユニットを有するものに限らず、例えば本体ユニットの上面に入力・表示面としてのタブレットを配置した、いわゆるペン入力形の電子機器であってもよい。
【図面の簡単な説明】
【００５６】
【図１】本発明の第１の実施の形態において、表示ユニットを第２の位置に回動させた状態を示すポータブルコンピュータの斜視図。
【図２】本発明の第１の実施の形態において、表示ユニットを第２の位置に回動させた状態を示すポータブルコンピュータの斜視図。
【図３】本発明の第１の実施の形態において、表示ユニットを第１の位置に回動させた時のポータブルコンピュータの正面図。
【図４】本発明の第１の実施の形態において、表示ユニットを第１の位置に回動させた時のポータブルコンピュータの側面図。
【図５】本発明の第１の実施の形態に係る本体ユニットの平面図。
【図６】本発明の第１の実施の形態に係る表示ユニットの正面図。
【図７】本発明の第１の実施の形態において、表示ユニットを第２の位置に回動させた状態を示すポータブルコンピュータの側面図。
【図８】本発明の第２の実施の形態において、表示ユニットを第１の位置に回動させた時のポータブルコンピュータの正面図。
【図９】本発明の第２の実施の形態において、表示ユニットを第１の位置に回動させた時のポータブルコンピュータの側面図。
【図１０】本発明の第２の実施の形態に係る表示ユニットの正面図。
【図１１】本発明の第３の実施の形態において、表示ユニットを第１の位置に回動させた時のポータブルコンピュータの正面図。
【図１２】本発明の第３の実施の形態において、表示ユニットを第１の位置に回動させた時のポータブルコンピュータの側面図。
【符号の説明】
【００５７】
２…本体ユニット、３…表示ユニット、５…第１の筐体、８…上面、９，１０ａ，１０ｂ…周面（前面、側面）、１２ａ，１２ｂ，１２ｃ，１２ｄ…第１ないし第４の縁部、１３…入力装置（キーボード）、１５…第１の傾斜面、１９…第２の筐体、２０…前面、２２ａ，２２ｂ，２３，２４…周面（側面、上面、下面）、２６ａ，２６ｂ，２６ｃ，２６ｄ…第１ないし第４の縁部、２８…第２の傾斜面、３１…第３の筐体、３４ａ，３４ｂ，３５…周面（側面、先端面）、４１…第３の傾斜面。
【図１】
2005100042.tif 000003
【図２】
2005100042.tif 000004
【図３】
2005100042.tif 000005
【図４】
2005100042.tif 000006
【図５】
2005100042.tif 000007
【図６】
2005100042.tif 000008
【図７】
2005100042.tif 000009
【図８】
2005100042.tif 000010
【図９】
2005100042.tif 000011
【図１０】
2005100042.tif 000012
【図１１】
2005100042.tif 000013
【図１２】
2005100042.tif 000014